(57)【特許請求の範囲】
【請求項１】
複数の情報信号と複数の既知信号が周波数軸上に配置され、この配置は、前記複数の既知信号が前記複数の情報信号の間に分散し、前記複数の既知信号のうち最も周波数の低い側にある既知信号よりも周波数の低い側に情報信号が位置し、かつ前記複数の既知信号のうち最も周波数の高い側にある既知信号よりも周波数の高い側に情報信号が位置するようになっており、この配置が時間方向に同じものになっているＯＦＤＭ信号を受信し、このＯＦＤＭ信号から前記情報信号と前記既知信号をそれぞれ抽出する手段と、
前記抽出された既知信号を用いて既知信号の伝送路応答を算出する手段と、
前記算出された既知信号の伝送路応答を用い、既知信号の伝送路応答とＳｉｎｃ関数の最大値を一致するようにし、そのＳｉｎｃ関数が他の既知信号の伝送路応答のほぼゼロ点を通り、それぞれのＳｉｎｃ関数を合成することによる補間によって、前記既知信号間に位置している情報信号、前記周波数の低い側に位置している情報信号、および前記周波数の高い側に位置している情報信号の伝送路特性を推定する手段と、
前記推定された情報信号の伝送路特性を用いて前記抽出された情報信号の振幅と位相の補正を行う手段とを備えたことを特徴とするＯＦＤＭ用受信装置。
【発明の詳細な説明】
【０００１】
【発明の属する技術分野】
本発明は、直交周波数分割多重（Orthogonal Frequency Division Multiplexing：ＯＦＤＭ）方式を用いた通信システムにおけるＯＦＤＭ用受信装置に関する。
【０００２】
【従来の技術】
最近の無線通信システムにおいて、データや画像等の大容量な情報をディジタル値として有線のみならず無線で伝送することが要求されている。その際、ＢＰＳＫやＱＰＳＫ等の位相の違いを利用して位相に情報を載せて変調する位相シフトキーイング（Phase  Shift  Keying）だけでなく、１６ＱＡＭや６４ＱＡＭ等のように位相、振幅の違いも利用して位相と振幅に情報を載せて変調する直交振幅変調（Quadrature  Amplitude  Modulation）を用いることが必須になってきている。このような１６ＱＡＭや６４ＱＡＭの直交振幅変調で変調された信号を送信機から送信し、伝送路を経て受信機で受信し、同期検波することで元のデータ列に復調することができる。
【０００３】
このとき、伝送路が有線であればさほど問題はないが、伝送路が無線の場合、フェージング等の劣悪な伝送路により、受信した信号の振幅や位相に大きな歪みが生じる。この伝送路による歪みを軽減する方法として、送信機と受信機で同じ既知のパイロット信号（既知信号）を保持し、そのパイロット信号を送信機から送信し、受信機で受信したパイロット信号と受信機が保持しているパイロット信号とを用いて伝送路応答を求め、その伝送路応答を補間し伝送路推定することにより、受信したデータ信号（情報信号）の振幅と位相を補正する技術がある。
【０００４】
例えば、特開平１１−１６３８２２号公報では、ＯＦＤＭ方式を用いた通信システム信号に利用し、受信したＯＦＤＭ信号に含まれるデータ信号の振幅と位相の歪みを補正する技術が記載されている。
【０００５】
【発明が解決しようとする課題】
特開平１１−１６３８２２号公報に記載されたものは、地上デジタル放送方式におけるＯＦＤＭ用受信装置である。このため、図１８に示すような欧州ＤＶＢ−Ｔシステム等におけるＯＦＤＭ信号のフォーマットを用いることを前提としている。この図１８において、縦方向は時間方向（シンボル）、横方向は周波数方向（キャリア）を示している。また、図中の白丸はデータシンボル（データ信号）、黒丸はパイロットシンボル（パイロット信号）である。パイロットシンボルは、１２本毎のキャリア周波数に伝送されており、４シンボル後に同一のサブキャリア周波数となるように巡回的に配置されている。そして、特開平１１−１６３８２２号公報のＯＦＤＭ用受信装置は、図１８に示すようなフォーマットのＯＦＤＭ信号に対して、受信したデータ信号の振幅と位相の歪みを補正し、周波数軸上での等化を行うするようにしている。
【０００６】
ＯＦＤＭ信号のフォーマットとしては、上記した地上デジタル放送用のもの以外に、ＭＭＡＣ（Multimedia Mobile Access Communication）用のＯＦＤＭ信号フォーマットがある。このＯＦＤＭ信号フォーマットは、例えば、図１９に示すように、周波数方向に、０〜４、５〜１７、１８〜２９、３０〜４２、４３〜４７のデータ信号（図中の白丸）が配置され、それぞれの間にパイロット信号（図中の黒丸）が分散して配置されている。また、それらの配置は、時間方向に同じになっている。このようなＯＦＤＭ信号フォーマットの場合、４つのパイロット信号うち最も周波数の低い側にあるパイロット信号よりも周波数の低い側に０〜４のデータ信号が配置され、また４つのパイロット信号のうち最も周波数の高い側にあるパイロット信号よりも周波数の高い側に４３〜４７のデータ信号が配置される。このようにＯＦＤＭ信号フォーマットが図１８のものと図１９のものでは異なっているため、特開平１１−１６３８２２号公報のＯＦＤＭ用受信装置では、図１９に示すようなＭＭＡＣ用のＯＦＤＭ信号フォーマットに対して、受信したデータ信号の振幅と位相の補正を適正に行うことはできない。
【０００７】
本発明は上記問題に鑑みたもので、ＭＭＡＣ用のＯＦＤＭ信号フォーマットに対し、受信したデータ信号の振幅と位相の補正を適正に行うことができるＯＦＤＭ用受信装置を提供することを目的とする。
【０００８】
【課題を解決するための手段】
上記目的を達成するため、請求項１に記載の発明では、ＭＭＡＣ用のＯＦＤＭ信号フォーマットのＯＦＤＭ信号を受信し、このＯＦＤＭ信号から情報信号と既知信号をそれぞれ抽出する手段と、抽出された既知信号を用いて既知信号の伝送路応答を算出する手段と、算出された既知信号の伝送路応答を用い、既知信号の伝送路応答とＳｉｎｃ関数の最大値を一致するようにし、そのＳｉｎｃ関数が他の既知信号の伝送路応答のほぼゼロ点を通り、それぞれのＳｉｎｃ関数を合成することによる補間によって、既知信号間に位置している情報信号、複数の既知信号のうち最も周波数の低い側にある既知信号よりも周波数の低い側に位置している情報信号、および複数の既知信号のうち最も周波数の高い側にある既知信号よりも周波数の高い側に位置している情報信号の伝送路特性を推定する手段と、推定された情報信号の伝送路特性を用いて抽出された情報信号の振幅と位相の補正を行う手段とを備えたＯＦＤＭ用受信装置を特徴としている。
【０００９】
このことにより、ＭＭＡＣ用のＯＦＤＭ信号フォーマットに対し、受信した情報信号の振幅と位相の補正を適正に行うことができる。
【００１３】
【発明の実施の形態】
図１に、図１９に示すＭＭＡＣ用のＯＦＤＭ信号フォーマットを用いた通信システムにおけるＯＦＤＭ用受信装置の構成を示す。このＯＦＤＭ用受信装置は、アンテナ１、受信部２、ＦＦＴ（高速フーリエ変換）処理部３、データ抽出部４、パイロット抽出部５、パイロット発生部６、複素除算部７、補間部８、複素除算部９、復調部１０で構成されている。
【００１４】
図１９に示すＯＦＤＭ信号の信号フォーマットで送信されたＯＦＤＭ信号は、アンテナ１で受信される。受信部２は、アンテナ１で受信したＯＦＤＭ信号をＲＦ受信処理、タイミング再生処理等を行って、ベースバンドのＯＦＤＭ信号に変換する。ＦＦＴ処理部３は、受信部２で処理されたベースバンドのＯＦＤＭ信号を周波数軸方向の信号であるＹ（ｌ、ｋ）［但し、ｋ＝０〜５１］に変換する。なお、ｌはシンボル、ｋは周波数軸方向に配置された信号の番号を示す。
【００１５】
データ抽出部４は、ＦＦＴ処理部３で処理された周波数軸方向の信号から図１９のＯＦＤＭ信号フォーマットにあるデータ信号Ｙ（ｌ、ｋｄ）［但し、ｋｄ＝０〜４７］のみを抽出する。また、パイロット抽出部５は、ＦＦＴ処理部３で処理された周波数軸方向の信号から図１９のＯＦＤＭ信号フォーマットにあるパイロット信号Ｙ（ｌ、ｋｐ）［但し、ｋｐ＝０〜３］のみを抽出する。
【００１６】
一方、パイロット発生部６は、送信側と同じ振幅と位相を持ったパイロット信号Ｘ（ｌ、ｋｐ）［但し、ｋｐ＝０〜３］を発生する。複素除算部７は、パイロット抽出部５からのパイロット信号をパイロット発生部６からのパイロット信号で複素除算を行い、パイロット信号の伝送路応答Ｈ（ｌ、ｋｐ）[但し、ｋｐ＝０〜３］を算出する。
【００１７】
補間部８は、パイロット信号の伝送路応答を用い、その補間を行って、データ信号の伝送路を推定した伝送路推定値Ｈ’（ｌ、ｋ）[但し、ｋ＝０〜４７］を算出する。具体的には、図１９に示す４つのパイロット信号を用い、その補間を行って、０〜４、５〜１７、１８〜２９、３０〜４２、４３〜４７のデータ信号の伝送路特性を推定した伝送路推定値Ｈ’（ｌ、ｋ）[但し、ｋ＝０〜４７］を算出する。この場合、その補間としては、例えば、後述する直線補間あるいはＳｉｎｃ関数による補間を用いることができる。
【００１８】
複素除算部９は、データ抽出部４からのデータ信号を補間部８からのデータ信号の伝送路を推定した伝送路推定値で複素除算を行い、振幅と位相が補正されたデータ信号Ｙ’（ｌ、ｋｄ）[但し、ｋｄ＝０〜４７］を算出する。
【００１９】
復調部１０は、複素除算部９から出力されたデータ信号を用いて、各データ信号の復調を行い、ディジタルデータ列に変換して出力する。
【００２０】
次に、上記した補間部８の補間として、直線補間を行う実施形態と、Ｓｉｎｃ関数により補間を行う実施形態についてそれぞれ説明する。
（直線補間を行う場合の実施形態）
この実施形態では、補間部８において、図２に示すように、パイロット信号の伝送路応答Ｈ（ｌ、ｋｐ）［但し、ｋｐ＝０〜３］）を用い、直線的に補間することで、データ信号の伝送路を推定した伝送路推定値Ｈ’（ｌ、ｋ）[但し、ｋ＝０〜４７］を算出する。
【００２１】
図３に、直線補間を行う補間部８の具体的な構成を示す。
【００２２】
この直線補間部８は、加算部２１〜２３、除算部２４〜２６、および伝送路推定部２７〜３１から構成されている。複素除算部７で算出されたパイロット信号の伝送路応答Ｈ（ｌ、ｋｐ）[但し、ｋｐ＝０〜３］は、加算部２１、加算部２２、加算部２３に入力される。加算部２１、加算部２２、加算部２３は、隣接したパイロット信号の伝送路応答の差をそれぞれ算出する。加算部２１の出力は、除算部２４に入力され、定数１４で除算される。これは、５〜１７のデータ信号の両側にあるパイロット信号間の間隔が１４であるためで、その除算結果ｐ０１は、パイロット信号間の傾きを表す。同様に、加算部２２の出力は、除算部２５に入力され、定数１３で除算される。また、加算部２３の出力は、除算部２６に入力され、定数１４で除算される。そして、除算部２５、２６から除算結果ｐ１２、ｐ２３がそれぞれ出力される。
【００２３】
伝送路推定部２７は、除算部２４から出力された値ｐ０１とパイロット信号の伝送路応答Ｈ（ｌ、０）を用いて、図２のデータ信号の伝送路推定値Ｈ’（ｌ、０）〜Ｈ’（ｌ、４）を算出し、伝送路推定部２８は、除算部２４から出力された値ｐ０１とパイロット信号の伝送路応答Ｈ（ｌ、０）を用いて、図２のデータ信号の伝送路推定値Ｈ’（ｌ、５）〜Ｈ’（ｌ、１７）を算出し、伝送路推定部２９は、除算部２５から出力された値ｐ１２とパイロット信号の伝送路応答Ｈ（ｌ、１）を用いて、図２のデータ信号の伝送路推定値Ｈ’（ｌ、１８）〜Ｈ’（ｌ、２９）を算出し、伝送路推定部３０は、除算部２６から出力された値ｐ２３とパイロット信号の伝送路応答Ｈ（ｌ、２）を用いて、図２のデータ信号の伝送路推定値Ｈ’（ｌ、３０）〜Ｈ’（ｌ、４２）を算出し、伝送路推定部３１は、除算部２６から出力された値ｐ２３とパイロット信号の伝送路応答Ｈ（ｌ、３ｐ）を用いて、図２のデータ信号の伝送路推定値Ｈ’（ｌ、４３）〜Ｈ’（ｌ、４７）を算出する。
【００２４】
図４に、伝送路推定部２７の具体的な構成を示す。この伝送路推定部２７では、除算部２４から出力された値ｐ０１をパイロット信号の伝送路応答Ｈ（ｌ、０）から順に減算していって、データ信号の伝送路推定値Ｈ’（ｌ、４）〜Ｈ’（ｌ、０）を算出する。
【００２５】
具体的には、パイロット信号の伝送路応答Ｈ（ｌ、０）とｐ０１の差により加算部２７１で伝送路推定値Ｈ’（ｌ、４）を算出する。また、加算部２７１にて算出された伝送路推定値Ｈ’（ｌ、４）とｐ０１の差により加算部２７２で伝送路推定値Ｈ’（ｌ、３）を算出する。また、加算部２７２にて算出された伝送路推定値Ｈ’（ｌ、３）とｐ０１の差により加算部２７３で伝送路推定値Ｈ’（ｌ、２）を算出する。また、加算部２７３にて算出された伝送路推定値Ｈ’（ｌ、２）とｐ０１の差により加算部２７４にて伝送路推定値Ｈ’（ｌ、１）を算出する。また、加算部２７４にて算出された伝送路推定値Ｈ’（ｌ、１）とｐ０１の差により加算部２７５で伝送路推定値Ｈ’（ｌ、０）を算出する。
【００２６】
図５に、伝送路推定部２８の具体的な構成を示す。この伝送路推定部２８では、パイロット信号の伝送路応答Ｈ（ｌ、０）に除算部２４から出力された値ｐ０１を順に加算していって、データ信号の伝送路推定値Ｈ’（ｌ、５）〜Ｈ’（ｌ、１７）を算出する。
【００２７】
具体的には、ｐ０１に乗算部２８１の定数値１を乗算し、続いて加算部２８４でパイロット信号の伝送路応答Ｈ（ｌ、０）と加算して伝送路推定値Ｈ’（ｌ、５）を算出する。また、ｐ０１に乗算部２８２の定数値２を乗算し、続いて加算部２８５でパイロット信号の伝送路応答Ｈ（ｌ、０）を加算して伝送路推定値Ｈ’（ｌ、６）を算出する。以後、同様な乗算、加算処理を行い、そして最終段の乗算部２８３、加算部２８６から伝送路推定値Ｈ’（ｌ、１７）を算出する。
【００２８】
図６に、伝送路推定部２９の具体的な構成を示す。この伝送路推定部２９の構成は、図５に示すものと同様の構成で、乗算部２９１、２９２、…、２９３、および加算部２９４、２９５、…、２９６を備え、パイロット信号の伝送路応答Ｈ（ｌ、１）に除算部２５から出力された値ｐ１２を順に加算していって、データ信号の伝送路推定値Ｈ’（ｌ、１８）〜Ｈ’（ｌ、２９）を算出する。
【００２９】
図７に、伝送路推定部３０の具体的な構成を示す。この伝送路推定部３０の構成は、図５に示すものと同様の構成で、乗算部３０１、３０２、…、３０３、および加算部３０４、３０５、…、３０６を備え、パイロット信号の伝送路応答Ｈ（ｌ、２）に除算部２６から出力された値ｐ２３を順に加算していって、データ信号の伝送路推定値Ｈ’（ｌ、３０）〜Ｈ’（ｌ、４２）を算出する。
【００３０】
図８に、伝送路推定部３１の具体的な構成を示す。この伝送路推定部３１の構成は、図４に示すものと同様の構成で、加算部３１１、３１２、３１３、３１４、３１５を備え、除算部２６から出力された値ｐ２３をパイロット信号の伝送路応答Ｈ（ｌ、３）から順に加算していって、データ信号の伝送路推定値Ｈ’（ｌ、４３）〜Ｈ’（ｌ、４７）を算出する。
【００３１】
以上述べたように、４つのパイロット信号の伝送路応答を用いた直線補間を行うことによって、４つのパイロット信号のそれぞれの間に挟まれた位置にあるデータ信号の伝送路推定値Ｈ’（ｌ、５）〜Ｈ’（ｌ、１７）、Ｈ’（ｌ、１８）〜Ｈ’（ｌ、２９）、Ｈ’（ｌ、３０）〜Ｈ’（ｌ、４２）を算出し、またパイロット信号で挟まれていない低周波数側のデータ信号に対しては、それより周波数の高い側にある隣接した２つのパイロット信号の伝送路応答を用いた直線補間によって、伝送路推定値Ｈ’（ｌ、０）〜Ｈ’（ｌ、４）を算出し、またパイロット信号で挟まれていない高周波数側のデータ信号に対しては、それより周波数の低い側にある隣接した２つのパイロット信号の伝送路応答を用いた直線補間によって、伝送路推定値Ｈ’（ｌ、４３）〜Ｈ’（ｌ、４７）を算出することができる。従って、図１９に示すＭＭＡＣ用のＯＦＤＭ信号フォーマットを用いた通信システムにおいても、各データ信号の伝送路特性を推定した伝送路推定値Ｈ’（ｌ、ｋ）[但し、ｋ＝０〜４７］を得ることができる。
【００３２】
図９に、上記のＯＦＤＭ用受信装置について、伝送路を２波レイリーフェージング環境を想定した場合における計算機シミュレーションによるビット誤り率（ＢＥＲ）を示す。
【００３３】
また、シミュレーションの主なパラメータとして、最大ドップラー周波数を５２Ｈｚ、ＯＦＤＭ信号のサブキャリア数を５２（データキャリア４８本＋パイロットキャリア４本）、有効シンボル長を３．２μｓ、ガードインタバル長を８００ｎｓ、変調方式を１６ＱＡＭで行った。
【００３４】
この図９から、上記した実施形態によりデータ信号の等化を行った場合には、平均Ｃ／Ｎ（キャリアとノイズのパワー比）が高くなるほどビット誤り率が低くなり、またＤＵＲ（直接波と遅延波のパワーの比）が大きいくなるほどビット誤り率が低くなることがわかる。
（Ｓｉｎ関数による補間を行う場合の実施形態）
この実施形態では、補間部８において、図１０に示すように、パイロット信号の伝送路応答Ｈ（ｌ、ｋｐ）［但し、ｋｐ＝０〜３］）を用い、Ｓｉｎｃ関数により補間することで、データ信号の伝送路を推定した伝送路推定値Ｈ’（ｌ、ｋ）[但し、ｋ＝０〜４７］を算出する。
【００３５】
なお、Ｓｉｎｃ関数は、ｓｉｎ（ｘ）／ｘで表される関数である。また、図１０中の曲線Ａは、その最大値が伝送路応答Ｈ（ｌ、０）と一致し、かつ伝送路応答Ｈ（ｌ、１）、伝送路応答Ｈ（ｌ、２）、伝送路応答Ｈ（ｌ、３）のほぼゼロ点を通るものであり、曲線Ｂは、その最大値が伝送路応答Ｈ（ｌ、１）と一致し、かつ伝送路応答Ｈ（ｌ、０）、伝送路応答Ｈ（ｌ、２）、伝送路応答Ｈ（ｌ、３）のほぼゼロ点を通るものであり、曲線Ｃは、その最大値が伝送路応答Ｈ（ｌ、２）と一致し、伝送路応答Ｈ（ｌ、０）、伝送路応答Ｈ（ｌ、１）、伝送路応答Ｈ（ｌ、３）のほぼゼロ点を通るものであり、曲線Ｄは、その最大値が伝送路応答Ｈ（ｌ、３）と一致し、伝送路応答Ｈ（ｌ、０）、伝送路応答Ｈ（ｌ、１）、伝送路応答Ｈ（ｌ、２）のほぼゼロ点を通るものである。
【００３６】
図１１に、Ｓｉｎｃ関数により補間を行う補間部８の具体的な構成を示す。
【００３７】
このＳｉｎｃ関数による補間部８は、推定処理部４１、４２、…、４３、…、４４から構成されている。推定処理部４１、４２、…４３、…、４４は、パイロット信号の伝送路応答Ｈ（ｌ、ｋｐ）[但し、ｋｐ＝０〜３］）を用いて、Ｓｉｎｃ関数による補間を行い、データ信号の伝送路を推定した伝送路推定値Ｈ’（ｌ、ｋ）[但し、ｋ＝０〜４７］をそれぞれ出力する。
【００３８】
推定処理部４１、４２、…、４３、…、４４は、同様の構成のものであるので、ｋ番目の推定処理部４３を用いてその構成および作動を説明する。図１２に、ｋ番目の推定処理部４３の具体的な構成を示す。
【００３９】
図１２において、データ信号の伝送路推定値Ｈ’（ｌ、ｋ）の定数値ｋが係数α演算回路４３２、係数β演算回路４３３、係数γ演算回路４３４、係数ε演算回路４３５に入力される。
【００４０】
係数α演算回路４３２では、図１３に示すように、定数値ｋからブロック４３２１の定数値５を引き、引いた値に乗算部４３２２の値を乗算し、その乗算値をαとする。この値αは、図１２に示すＳｉｎｃ関数部４３６に入力され、このＳｉｎｃ関数部４３６で値αに対するＳｉｎｃ関数の値が求められる。このことにより、図１０に示す曲線Ａ上でｋ番目のデータ信号に対するＳｉｎｃ関数の値が求められる。そして、そのＳｉｎｃ関数の値とパイロット信号の伝送路応答Ｈ（ｌ、０）とが乗算部４５０で乗算される。その乗算結果は、パイロット信号の伝送路応答Ｈ（ｌ、０）によるｋ番目のデータ信号の伝送路推定値Ｈ’（ｌ、ｋ）への関係値となる。
【００４１】
また、係数β演算回路４３３では、図１４に示すように、定数値ｋからブロック４３３１の定数値１９を引き、引いた値に乗算部４３３２の値を乗算し、その乗算値をβとする。この値βは、図１２に示すＳｉｎｃ関数部４３７に入力され、このＳｉｎｃ関数部４３７で値βに対するＳｉｎｃ関数の値が求められる。このことにより、図１０に示す曲線Ｂ上でｋ番目のデータ信号に対するＳｉｎｃ関数の値が求められる。そして、そのＳｉｎｃ関数の値とパイロット信号の伝送路応答Ｈ（ｌ、１）とが乗算部４５１で乗算される。その乗算結果は、パイロット信号の伝送路応答Ｈ（ｌ、１）によるｋ番目のデータ信号の伝送路推定値Ｈ’（ｌ、ｋ）への関係値となる。
【００４２】
また、係数γ演算回路４３４では、図１５に示すように、定数値ｋからブロック４３４１の定数値３２を引き、引いた値に乗算部４３４２の値を乗算し、その乗算値をγとする。この値γは、図１２に示すＳｉｎｃ関数部４３８に入力され、このＳｉｎｃ関数部４３８で値γに対するＳｉｎｃ関数の値が求められる。このことにより、図１０に示す曲線Ｃ上でｋ番目のデータ信号に対するＳｉｎｃ関数の値が求められる。そして、そのＳｉｎｃ関数の値とパイロット信号の伝送路応答Ｈ（ｌ、２）とが乗算部４５２で乗算される。その乗算結果は、パイロット信号の伝送路応答Ｈ（ｌ、２）によるｋ番目のデータ信号の伝送路推定値Ｈ’（ｌ、ｋ）への関係値となる。
【００４３】
また、係数ε演算回路４３５では、図１６に示すように、定数値ｋからブロック４３５１の定数値４６を引き、引いた値に乗算部４３５２の値を乗算し、その乗算値をεとする。この値εは、図１２に示すＳｉｎｃ関数部４３９に入力され、このＳｉｎｃ関数部４３９で値εに対するＳｉｎｃ関数の値が求められる。このことにより、図１０に示す曲線Ｄ上でｋ番目のデータ信号に対するＳｉｎｃ関数の値が求められる。そして、そのＳｉｎｃ関数の値とパイロット信号の伝送路応答Ｈ（ｌ、３）とが乗算部４５３で乗算される。その乗算結果は、パイロット信号の伝送路応答Ｈ（ｌ、３）によるｋ番目のデータ信号の伝送路推定値Ｈ’（ｌ、ｋ）への関係値となる。
【００４４】
そして、加算部４５４で、乗算部４５０〜４５３の乗算結果を加算することにより、ｋ番目のデータ信号の伝送路推定値Ｈ’（ｌ、ｋ）が求められる。
【００４５】
以上述べたように、パイロット信号の伝送路応答Ｈ（ｌ、ｋｐ）[但し、ｋｐ＝０〜３］を用いてＳｉｎｃ関数により補間することで、データ信号の伝送路を推定した伝送路推定値Ｈ’（ｌ、ｋ）[但し、ｋ＝０〜４７］を算出することができる。
【００４６】
図１７に、上記のＯＦＤＭ用受信装置について、伝送路を２波レイリーフェージング環境を想定した場合における計算機シミュレーションによるビット誤り率（ＢＥＲ）を示す。
【００４７】
また、シミュレーションの主なパラメータとして、最大ドップラー周波数を５２Ｈｚ、ＯＦＤＭ信号のサブキャリア数を５２（データキャリア４８本＋パイロットキャリア４本）、有効シンボル長を３．２μｓ、ガードインタバル長を８００ｎｓ、変調方式を１６ＱＡＭで行った。
【００４８】
この図１７から、上記した実施形態によりデータ信号の等化を行った場合には、平均Ｃ／Ｎ（キャリアとノイズのパワー比）が高くなるほどビット誤り率が低くなり、またＤＵＲ（直接波と遅延波のパワーの比）が大きいくなるほどビット誤り率が低くなることがわかる。
【図面の簡単な説明】
【図１】本発明の一実施形態に係るＯＦＤＭ用受信装置の構成を示す図である。
【図２】直線補間を行う場合の説明に供する図である。
【図３】直線補間を行う場合の補間部８の構成を示す図である。
【図４】図３中の伝送路推定部２７の具体的な構成を示す図である。
【図５】図３中の伝送路推定部２８の具体的な構成を示す図である。
【図６】図３中の伝送路推定部２９の具体的な構成を示す図である。
【図７】図３中の伝送路推定部３０の具体的な構成を示す図である。
【図８】図３中の伝送路推定部３１の具体的な構成を示す図である。
【図９】直線補間を行った実施形態におけるＯＦＤＭ用受信装置の平均Ｃ／Ｎに対するビット誤り率（ＢＥＲ）のシミュレーション結果を示す図である。
【図１０】Ｓｉｎｃ関数による補間を行う場合の説明に供する図である。
【図１１】Ｓｉｎｃ関数による補間を行う場合の補間部８の構成を示す図である。
【図１２】図１１中のｋ番目の推定処理部４３の構成を示す図である。
【図１３】図１２中の係数α演算回路４３２の構成を示す図である。
【図１４】図１２中の係数β演算回路４３３の構成を示す図である。
【図１５】図１２中の係数γ演算回路４３４の構成を示す図である。
【図１６】図１２中の係数ε演算回路４３５の構成を示す図である。
【図１７】Ｓｉｎｃ関数による補間を行った実施形態におけるＯＦＤＭ用受信装置の平均Ｃ／Ｎに対するビット誤り率（ＢＥＲ）のシミュレーション結果を示す図である。
【図１８】欧州ＤＶＢ−Ｔシステム等におけるＯＦＤＭ信号のフォーマットの配置例を示す図である。
【図１９】ＭＭＡＣ用のＯＦＤＭ信号フォーマットの配置例を示す図である。
【符号の説明】
１…アンテナ、２…受信部、３…ＦＦＴ（高速フーリエ変換）処理部、
４…データ抽出部、５…パイロット抽出部、６…パイロット発生部、
７…複素除算部、８…補間部（直線補間部、Ｓｉｎｃ関数による補間部）、
９…複素除算部、１０…復調部。
【図１】
0004284813.tif 000002
【図２】
0004284813.tif 000003
【図３】
0004284813.tif 000004
【図４】
0004284813.tif 000005
【図５】
0004284813.tif 000006
【図６】
0004284813.tif 000007
【図７】
0004284813.tif 000008
【図８】
0004284813.tif 000009
【図９】
0004284813.tif 000010
【図１０】
0004284813.tif 000011
【図１１】
0004284813.tif 000012
【図１２】
0004284813.tif 000013
【図１３】
0004284813.tif 000014
【図１４】
0004284813.tif 000015
【図１５】
0004284813.tif 000016
【図１６】
0004284813.tif 000017
【図１７】
0004284813.tif 000018
【図１８】
0004284813.tif 000019
【図１９】
0004284813.tif 000020